(57)【特許請求の範囲】
【請求項１】
複数のスリットの内側にそれぞれ接点を有するバッテリーパックが装着可能な電子機器であって、
前記電子機器は、前記バッテリーパックが装着されたときに前記複数のスリットにそれぞれ入り込んで前記接点と接触する複数の接触端子を有し、前記複数の接触端子は２つの電極端子に挟まれる位置に配置される少なくとも１つ以上の非電極端子を備え、前記非電極端子は前記２つの電極端子の少なくともいずれか一方の端子よりも前記バッテリーパックの装着方向と直交する方向の長さが大きいことを特徴とする電子機器。
【請求項２】
前記複数の接触端子のうち、前記２つの電極端子をそれぞれ最も外側に配置することを特徴とする請求項１に記載の電子機器。
【請求項３】
前記非電極端子は前記バッテリーパックと通信する通信端子であることを特徴とする請求項１または２に記載の電子機器。
【請求項４】
前記バッテリーパックは温度センサを有し、前記非電極端子は前記温度センサと接続される端子であることを特徴とする請求項１ないし３のいずれか１項に記載の電子機器。
【発明の詳細な説明】
【技術分野】
【０００１】
本発明は、複数のスリットの内側にそれぞれ接点を有するバッテリーパックが装着可能な電子機器に関するものである。
【背景技術】
【０００２】
デジタルカメラやビデオカメラなどの電子機器で使用される一般的なバッテリーパックには保護回路が設けてあり、バッテリーパックの出力端子が短絡した場合には保護回路の保護機能により出力停止される。短絡によってバッテリーバックは使用できなくなってしまうので、バッテリーパックにスリット状の溝部を形成し、この溝の内部に出力端子を配置するなどして、短絡しにくい構造とすることが提案されている。（例えば、特許文献１）
【特許文献１】特開２００３−０３６８２８号公報
【発明の開示】
【発明が解決しようとする課題】
【０００３】
図１２は上述した従来のバッテリーパック１００を説明する図である。バッテリーパック１００はビデオカメラと電気的に接続するための端子１２０を有し、端子１２０は複数の端子が格納される複数の端子配置溝が設けられている。図１３は、バッテリパック１００が装着されるビデオカメラのバッテリー装着部１０を説明する図である。バッテリー装着部１０にはバッテリーパックの端子１２０と電気的に接続される本体側端子３０が設けられている。本体側端子３０には、端子１２０の複数の端子配置溝にそれぞれ入り込む複数の端子片３１が立設されている。さらに、複数の端子片３１を保護するために保護プレート３３が設けられている。図１３（ａ）は保護プレート３３が退避して、複数の端子片３１が露出した状態を示し、図１３（ｂ）は保護プレート３３が複数の端子片３１を保護している状態を示している。
【０００４】
バッテリーパック１００がバッテリー装着部１０に装着される際、その装着が完了する直前の状態では保護プレート３３が退避してしまい、複数の端子片３１が露出してしまう。このとき、複数の端子片３１とバッテリーパック１００の端子が電気的に導通した状態であるので、針金やピンなどの導電物を複数の端子片３１の部分に落下させた場合には、バッテリーパックの端子が短絡した状態になってしまうという問題があった。
【０００５】
本発明は、このような課題に鑑みて、バッテリーパックを装着する際に端子片に導電物を落下させたとしても短絡しにくい端子形状を実現することを目的とする。
【課題を解決するための手段】
【０００６】
本発明の電子機器は、複数のスリットの内側にそれぞれ接点を有するバッテリーパックが装着可能な電子機器であって、前記電子機器は、前記バッテリーパックが装着されたときに前記複数のスリットにそれぞれ入り込んで前記接点と接触する複数の接触端子を有し、前記複数の接触端子は２つの電極端子に挟まれる位置に配置される少なくとも１つ以上の非電極端子を備え、前記非電極端子は前記２つの電極端子の少なくともいずれか一方の端子よりも前記バッテリーパックの装着方向と直交する方向の長さが大きいことを特徴とする。
【発明の効果】
【０００７】
本発明によれば、バッテリーパックを装着する際に端子片に導電物を落下させたとしても短絡しにくい端子形状を実現することができる。
【発明を実施するための最良の形態】
【０００８】
（第１の実施形態）
図１は本発明の第１の実施形態であるビデオカメラの斜視図である。
【０００９】
図１において、１はビデオカメラ本体、１１はレンズ、１２はＬＣＤ表示パネル、１３は電子式ファインダ、１４は電源モードキー、１５はトリガーキー、２はバッテリーパック装着部、３はバッテリーパックである。
【００１０】
図２は図１のビデオカメラ本体１を後方から見た図である。
図２において、２０１はバッテリーコネクタ、２０１ａ〜２０１ｄはバッテリーコネクタの接触端子である。２０３、２０４はバッテリー装着部２の側壁部である。２０５、２０６、２０７、２０８はバッテリー装着部２の後述するバッテリーパックの取付け部との係合部である。２０９はバッテリー装着部２のバッテリーパック装着面である。２１０はバッテリーパック装着時のスライド方向を示す矢印である。
【００１１】
図３はバッテリーパック装着部２に装着可能なバッテリーパック３の斜視図である。
図３において、３０１はバッテリーパック３の電源コネクタ、３０２はスリット状溝部、３０３、３０４、３０５、３０６はバッテリーパック３の取付け部、３０７はバッテリーパック３の底面部である。バッテリーパック３はビデオカメラ本体１と通信可能なマイコンとバッテリーパック３内部の温度を測定するためのサーミスタ（温度センサ）を有している。
【００１２】
図１、図２及び図３を用いて本実施形態のビデオカメラについて説明する。
【００１３】
図１に示すように、ビデオカメラ本体１の前方には被写体を撮影し記録する為のレンズ１１が設けられており、右側面には撮影又は再生映像を表示するためのＬＣＤ表示パネル１２が開閉自在に設けられている。
【００１４】
また、ビデオカメラ本体１の後方には撮影された画像を視認するための電子式ファインダ１３、電源ｏｎ／ｏｆｆ及び電源ｏｎ時に撮影／再生モードを切り換えるための電源モードキー１４、撮影の開始／停止を行うためのトリガーキー１５が設けられている。さらに、バッテリーパック３を着脱自在に装着するためのバッテリーパック装着部２が設けられている。
【００１５】
図２に示すようにバッテリーパック装着部２には図３に示すバッテリーパック３の電源コネクタ３０１と嵌合し、ビデオカメラ本体１とバッテリーパック３が電源及び情報のやり取りを行うためのバッテリーコネクタ２０１が配置されている。
【００１６】
バッテリーパック３のスリット状溝部３０２の内部には図示しないコンタクトが設けられている。バッテリーパック３がバッテリーパック装着部２に装着されるとバッテリーコネクタ２０１の複数の端子２０１ａ〜２０１ｄが複数のスリット状溝部３０２にそれぞれ入り込んで、スリット状の溝部３０２内部に配置されるコンタクトと接続される。
【００１７】
バッテリーパック３をバッテリーパック装着部２に装着する動作について説明する。まず、バッテリーパック３の取付け部３０３がバッテリー装着部２の係合部２０５と係合部２０７との間に、取付け部３０４がバッテリー装着部２の係合部２０６と係合部２０８との間に入るように、バッテリーパック３をバッテリーパック装着部２に押し込む。次に矢印２１０の方向にバッテリーパック３をスライドさせると、バッテリーパック３に形成される取付け部３０３、３０４、３０５、３０６がバッテリー装着部２の係合部２０５、２０６、２０７、２０８にそれぞれ係合して固定される。
【００１８】
図４はバッテリーパック３がバッテリーパック装着部２に装着される途中の状態を示す図である。図４に示す状態では、バッテリーコネクタ２０１の複数の接触端子２０１ａ〜２０１ｄが複数のスリット状溝部３０２にそれぞれ入り込んで、スリット状の溝部３０２内部に配置されるコンタクトと接続される。その一方で、複数の接触端子２０１ａ〜２０１ｄが露出する状態となってしまう。この状態において、複数の接触端子２０１ａ〜２０１ｄが短絡してしまうと、バッテリーパック３の保護回路が作動して、バッテリーパック３は使用できなくなってしまう。
【００１９】
図５はバッテリーパック装着部２のバッテリーコネクタ２０１の斜視図である。図６はバッテリーパック装着部２のバッテリーコネクタ２０１をバッテリーパックの挿入方向から見た図である。
【００２０】
図５および図６において、２０１ａはバッテリーコネクタ２０１の＋端子（電極端子）である。２０１ｂはバッテリーコネクタ２０１の通信端子（非電極端子）である。２０１ｃはバッテリーコネクタ２０１のサーミスタ端子（非電極端子）である。２０１ｄはバッテリーコネクタ２０１の−端子（電極端子）である。すなわち、２つの電極端子である＋端子２０１ａと−端子２０１ｄとが、非電極端子である通信端子２０１ｂとサーミスタ端子２０１ｃとをはさむ位置に配置されている。通信端子２０１ｂはバッテリーパック内のマイコンと通信するための端子である。また、サーミスタ端子はバッテリーパック内のサーミスタに接続される端子である。
【００２１】
図５および図６に示すように、通信端子２０１ｂおよびサーミスタ端子２０１ｃの高さが＋端子２０１ａおよび−端子２０１ｄの高さよりも高くなるように設定されている。ここで、端子の高さというのは、バッテリーパック３を装着する際の装着方向に対して直交する方向の長さである。
【００２２】
このような構成にすることによって、例えばステープラの針といった導電性の異物がバッテリーコネクタ２０１に入り込んだ場合であっても、図７のようになるので、＋端子２０１ａと−端子２０１ｄが短絡する可能性が低い。したがって、バッテリーパック３をバッテリー装着部２に装着する途中で、電源コネクタ３０１とバッテリーコネクタ２０１とが接触した状態で、バッテリーコネクタ２０１が露出する場合であっても、短絡の可能性を従来よりも低くすることができる。
【００２３】
（第１の実施形態の変形例）
次に、第１の実施形態の変形例について図８ないし図１１を用いて説明する。第１の実施形態との違いはバッテリーコネクタの端子の高さが異なるだけである。
【００２４】
図８は変形例１であるビデオカメラ本体１のバッテリーコネクタ５０１を説明する図である。図８において、５０１ａは＋端子、５０１ｂは通信端子、５０１ｃはサーミスタ端子、５０１ｄは−端子である。図８に示すようにバッテリーコネクタ５０１では、＋端子５０１ａの高さだけが他の端子の高さよりも低く設定されている。したがって、例えばステープラの針といった導電性の異物がバッテリーコネクタ５０１に入り込んだ場合であっても、図９のようになって、＋端子５０１ａと−端子５０１ｄが短絡する可能性が低くなっている。
【００２５】
図１０は変形例２であるビデオカメラ本体１のバッテリーコネクタ６０１を説明する図である。図１０において、６０１ａは＋端子、６０１ｂは通信端子、６０１ｃはサーミスタ端子、６０１ｄは−端子である。図１０に示すようにバッテリーコネクタ６０１では、−端子６０１ｄの高さだけが他の端子の高さよりも低く設定されている。したがって、例えばステープラの針といった導電性の異物がバッテリーコネクタ６０１に入り込んだ場合であっても、図１１のようになって、＋端子６０１ａと−端子６０１ｄが短絡する可能性が低くなっている。
【００２６】
本実施形態において電子機器のバッテリーコネクタとしたが、充電装置のバッテリーコネクタにも適用することが可能である。
【００２７】
また、本実施形態において＋端子と−端子をそれぞれ最も外側に配置しているが、例えば＋端子、通信端子、−端子、サーミスタ端子というような順番で電源端子とその他の端子を交互に配置してもよい。さらに、本実施形態では、＋端子と−端子との間に通信端子とサーミスタ端子を配置したが、＋端子と−端子との間には１つ以上の非電極端子が配置されていれば、同等の作用効果を奏することができる。
【図面の簡単な説明】
【００２８】
【図１】実施形態であるビデオカメラの構成を説明する図である。
【図２】ビデオカメラのバッテリーパック装着部の構成を説明する図である。
【図３】ビデオカメラのバッテリーパックの構成を説明する図である。
【図４】バッテリーパックをバッテリーパック装着部に装着する途中の状態を説明する図である。
【図５】ビデオカメラのバッテリーコネクターの斜視図である。
【図６】ビデオカメラのバッテリーコネクターをバッテリーパックの挿入方向から見た図である。
【図７】バッテリーコネクターにステープラの針が入った状態を説明する図である。
【図８】バッテリーコネクターの変形例１を説明する図である。
【図９】変形例１のバッテリーコネクターにステープラの針が入った状態を説明する図である。
【図１０】バッテリーコネクターの変形例２を説明する図である。
【図１１】変形例２のバッテリーコネクターにステープラの針が入った状態を説明する図である。
【図１２】従来のバッテリーパックの構成を説明する図である。
【図１３】従来のバッテリーパック装着部の構成を説明する図である。
【符号の説明】
【００２９】
２  バッテリーパック装着部
３  バッテリーパック
２０１  バッテリーコネクタ
２０１ａ  バッテリーコネクタの＋端子
２０１ｂ  バッテリーコネクタの通信端子
２０１ｃ  バッテリーコネクタのサーミスタ端子
２０１ｄ  バッテリーコネクタの−端子
３０１  電源コネクタ
３０２  スリット状の溝部
【図１】
0005137522.tif 000002
【図２】
0005137522.tif 000003
【図３】
0005137522.tif 000004
【図４】
0005137522.tif 000005
【図５】
0005137522.tif 000006
【図６】
0005137522.tif 000007
【図７】
0005137522.tif 000008
【図８】
0005137522.tif 000009
【図９】
0005137522.tif 000010
【図１０】
0005137522.tif 000011
【図１１】
0005137522.tif 000012
【図１２】
0005137522.tif 000013
【図１３】
0005137522.tif 000014